(57)【要約】【課題】壁面の植栽された植物の生育を向上させる【解決手段】表板１００の棚部１１０の開口部１１２に植栽された植物２０は、地面に対して垂直な鉛直方向（重力と逆方向）に生育するので、地面に対し略平行に生育（成長）させる場合と比較し、生育が向上ずる。断熱材で構成された表板１００と裏板３００とで保水基盤２００が挟まれており、しかも表板１００は棚部１１０の開口部１１２以外は開口されていないので、保水基盤２００の温度上昇又は温度低下が抑制される。また、この結果、水分の蒸発が抑制される。更に表板１００及び裏板３００は、非透水性材で構成されているので、より水分の蒸発が抑制される。したがって、植物２０の根２２の温度が安定し、且つ乾燥が抑制されるので、植物２０の生育が良好となる。【選択図】図１
2010239878.tif 000002
【特許請求の範囲】
【請求項１】
断熱材で構成され、鉛直又は略鉛直に配置された表面が緑化対象の壁面を構成する表板と、
断熱材で構成され、前記表板と平行に配置された裏板と、
前記表板と前記裏板との間に挟まれた保水基盤と、
前記保水基盤に給水する給水機構と、
前記表板の表面に凹凸が形成されることによって設けられた一つ又は複数の棚部と、
前記表板の表面に設けられた前記棚部に形成された開口部から斜め下方に向かって形成され、前記表板の裏面に開口した貫通孔と、
前記棚部の前記開口部に植栽された植物と、
を備える壁面緑化装置。
【請求項２】
前記表板及び前記裏板のいずれか一方又は両方が、非透水性材で構成されている請求項１に記載の壁面緑化装置。
【請求項３】
前記表板の裏面には、溝が形成されている請求項１又は請求項２に記載の壁面緑化装置。
【請求項４】
前記給水機構は、
前記保水基盤の上端部から給水し、前記保水基盤の下端部から排水して掛け流す、
請求項１〜請求項３のいずれか１項に記載の壁面緑化装置。
【請求項５】
前記給水機構は、
前記保水基盤の上端部の上に長手方向に沿って配設されたホースと、
前記ホースに長手方向に間隔をあけて複数設けられ、前記ホースに流れる水を水滴として落とす水滴機構と、
を有する、
請求項４に記載の壁面緑化装置。
【請求項６】
前記給水機構は、
水が貯留され、前記保水基盤の上端部の長手向全域が前記水に浸水した給水ケースを有する、
請求項４に記載の壁面緑化装置。
【請求項７】
前記給水機構は、
前記保水基盤の下端部から排水された水を貯留する排水ケースを有する、
請求項４〜請求項６のいずれか１項に記載の壁面緑化装置。
【請求項８】
少なくとも、前記表板、前記裏板、及び前記保水基盤が一体化されることによって植栽容器が構成されている請求項１〜請求項７のいずれか１項に記載の壁面緑化装置。
【請求項９】
前記表板が、建物内壁又は建物外壁の一部又は全部を構成する請求項１〜請求項８のいずれか１項に記載の壁面緑化装置。
【発明の詳細な説明】
【技術分野】
【０００１】
本発明は、壁面を緑化する壁面緑化装置に関する。
【背景技術】
【０００２】
フェルトや不織布からなる植栽基盤（保水基盤）を壁面（鉛直面）に固定又は貼り付けて、この植栽基盤（保水基盤）に植物の苗を植え込むことで、地面に垂直な壁面の緑化を行う方法が知られている（例えば、特許文献１を参照）。
【０００３】
また、植栽基盤（保水基盤）の上下に水槽を設けると共に、下側の水槽から上側の水槽へとポンプで水を汲み上げて、水を循環させる機構を有する壁面緑化装置が提案されている（例えば、特許文献２、特許文献３を参照）。
【先行技術文献】
【特許文献】
【０００４】
【特許文献１】特開２００４−２５４５５９号公報
【特許文献２】特開２００７−１９５４８１号公報
【特許文献３】実用新案登録３１２９１７６号
【発明の概要】
【発明が解決しようとする課題】
【０００５】
通常、壁面（地面に対して垂直な鉛直面）の緑化は、地面に対して略平行（重力方向に対して直交する方向）に生育（成長）させることになる。しかし、地面に対して略平行に生育（成長）させると、地面に対して垂直に生育（成長）させる場合よりも生育（成長）が著しく劣るなどの生育不良が発生することが判っている。
【０００６】
更に、植物が根を張る植栽基盤（保水基盤）は、露出面積が大きいので、温度変動が大きくなりやすく、また、乾燥しやすい。そして、このような観点からも生育不良が発生することがある。
【０００７】
よって、鉛直又は略鉛直に配置された壁面の緑化において、従来よりも植物の生育を向上させることが求められている。
【０００８】
本発明は、上記を考慮し、壁面に植栽された植物の生育を向上させる壁面緑化装置を提供することが目的である。
【課題を解決するための手段】
【０００９】
請求項１に記載の発明は、断熱材で構成され、鉛直又は略鉛直に配置された表面が緑化対象の壁面を構成する表板と、断熱材で構成され、前記表板と平行に配置された裏板と、前記表板と前記裏板との間に挟まれた保水基盤と、前記保水基盤に給水する給水機構と、前記表板の表面に凹凸が形成されることによって設けられた一つ又は複数の棚部と、前記表板の表面に設けられた前記棚部に形成された開口部から斜め下方に向かって形成され、前記表板の裏面に開口した貫通孔と、前記棚部の前記開口部に植栽された植物と、を備える。
【００１０】
請求項１に記載の発明では、緑化対象の壁面を構成する表板の表面（意匠面）に凹凸が形成されることによって設けられた一つ又は複数の棚部の開口部に植物が植栽される。よって、植物は、地面に対して垂直な鉛直方向（重力と逆方向）に生育するので、地面に対し略平行に生育（成長）させる場合と比較し、生育が向上ずる。
【００１１】
また、植栽された植物の根は表板の裏面の開口から出て、保水基盤全域に亘って張ることが可能である。
【００１２】
また、断熱材で構成された表板と裏板とで保水基盤が挟まれており、しかも表板は棚部の開口部以外は開口されていないので、保水基盤の温度上昇又は温度低下が抑制される。また、保水基盤からの水分の蒸発が抑制される。
【００１３】
したがって、植物の根の温度が安定し、且つ乾燥が抑制されるので、植物の生育が良好となる。つまり、本発明が適用されていない壁面緑化装置と比較し、壁面に植栽された植物の生育が向上する。
【００１４】
請求項２に記載の発明は、前記表板及び前記裏板のいずれか一方又は両方が、非透水性材で構成されている。
【００１５】
請求項２に記載の発明では、表板及び裏板のいずれか一方又は両方が、非透水性材で構成されているので、水分の蒸発が更に抑制される。よって、植物の生育が更に向上する。
【００１６】
請求項３に記載の発明は、前記表板の裏面には、溝が形成されている。
【００１７】
請求項３に記載の発明では、表板の裏面の形成された溝に沿って、植物は根を張ることができる。よって、保水基盤の広範囲に容易に根を張ることができるので、植物の生育が更に向上する。
【００１８】
請求項４に記載の発明は、前記給水機構は、前記保水基盤の上端部から給水し、前記保水基盤の下端部から排水して掛け流す。
【００１９】
請求項４に記載の発明では、保水基盤の上端部から給水し、保水基盤の下端部から排水して掛け流している。よって、水を循環させる方式と比較し、根酸による保水基盤中の水分の酸化が抑制され、その結果、植物の生育が向上する。
【００２０】
請求項５に記載の発明は、前記給水機構は、前記保水基盤の上端部の上に長手方向に沿って配設されたホースと、前記ホースに長手方向に間隔をあけて複数設けられ、前記ホースに流れる水を水滴として落とす水滴機構と、を有する。
【００２１】
請求項５に記載の発明では、ホースに水を流すことによって、ホースに設けられた水滴機構から水滴を落として、保水基基盤に給水する（潅水する）。よって、容易に保水基盤の上端部から給水して掛け流せる。
【００２２】
請求項６に記載の発明は、前記給水機構は、水が貯留され、前記保水基盤の上端部の長手向全域が前記水に浸水した給水ケースを有する。
【００２３】
請求項６に記載の発明では、給水ケースに水を補給することで、容易に保水基盤の長手方向全域に略均等に給水できる。
【００２４】
請求項７に記載の発明は、前記給水機構は、前記保水基盤の下端部から排水された水を貯留する排水ケースと、を有する。
【００２５】
請求項７に記載の発明は、保水基盤の下端部から排水された水は排水ケースで一旦端貯留し、貯留した水を廃棄するので、排水の処理が容易である。
【００２６】
請求項８に記載の発明は、少なくとも、前記表板、前記裏板、及び前記保水基盤が一体化されることによって植栽容器が構成されている。
【００２７】
請求項８に記載の発明では、植栽容器を壁に取り付けたり（壁にかけたり）、イーゼル等に載せたりすることで、絵画を飾るように所望の壁面を容易に緑化することができる。なお、給水機構を植栽容器と一体化してもよい。
【００２８】
請求項９に記載の発明は、前記表板の表面が、建物内壁又は建物外壁の一部又は全部を構成する。
【００２９】
請求項９に記載の発明では、表板と裏板とが断熱材で構成されているので、建物内壁又は建物外壁の断熱効果が向上する。
【発明の効果】
【００３０】
請求項１に記載の発明によれば、植物の根の温度が安定し、且つ乾燥が抑制されるので、壁面に植栽された植物の生育を向上させることができる。
【００３１】
請求項２に記載の発明によれば、水分の蒸発が更に抑制されるので、植物の生育を更に向上させることができる。
【００３２】
請求項３に記載の発明によれば、溝に沿って広範囲に容易に植物は根を張ることができるので、植物の生育を更に向上させることができる。
【００３３】
請求項４に記載の発明によれば、根酸による保水基盤中の水分の酸化が抑制又は防止されるので、植物の生育を更に向上させることができる。
【００３４】
請求項５に記載の発明によれば、ホースに水を流し水滴を落とすことで、容易に保水基盤の上端部から給水して掛け流すことができる。
【００３５】
請求項６に記載の発明によれば、給水ケースに水を補給することで、容易に保水基盤の長手方向全域に略均等に給水することできる。
【００３６】
請求項７に記載の発明によれば、容易に排水を処理することができる。
【００３７】
請求項８に記載の発明によれば、絵画を飾るように、所望の壁を容易に緑化することができる。
【００３８】
請求項９に記載の発明によれば、建物内壁又は建物外壁を緑化すると共に、断熱効果を向上させることができる。
【図面の簡単な説明】
【００３９】
【図１】本発明の実施家形態に係る壁面緑化装置を示す幅方向に沿った縦断面図である。
【図２】本発明の実施家形態に係る壁面緑化装置を斜め前方から見た斜視図である。
【図３】本発明の実施家形態に係る壁面緑化装置の表板の表面を示す正面図である。
【図４】本発明の実施家形態に係る壁面緑化装置の表板の裏面を示す斜め後方側から見た斜視図である。
【図５】図４の表板の裏面に保水基盤（植栽基盤）を重ねた状態を示す斜め後方から見た斜視図である。
【図６】図５の保水基盤の裏面に裏板を重ねた状態を示す斜め後方から見た斜視図である。
【図７】本発明の実施家形態に係る壁面緑化装置の給水機構を斜め前方から見た斜視図である。
【図８】本発明の実施家形態に係る壁面緑化装置の給水機構を斜め後方から見た部分拡大斜視図である。
【図９】変形例の給水機構を斜め前方から見た斜視図である。
【図１０】変形例の給水機構を斜め後方から見た部分拡大斜視図である。
【図１１】建物内壁又は建物外壁の全面を緑化した状態を示す正面図である。
【図１２】本発明の実施家形態に係る植栽容器（壁面緑化装置）をイーゼルに載せて飾った状態を示す斜視図である。
【発明を実施するための形態】
【００４０】
図１〜図８を用いて、本発明の実施形態に係る壁面緑化装置について説明する。
【００４１】
図１に示すように、壁面緑化装置１０は、表面１００Ａが鉛直（地面に対して垂直）に配置された正面視四角形状の表板（表面化粧板）１０を有している。表板１００の裏面１００Ｂには保水基盤（植栽基盤）２００が設けられ（図５も参照）、保水基盤２００の裏側には裏板３００が設けられている（図６参照）。更に、裏板３００の裏には、裏蓋４００が設けている。そして、表板１００と裏蓋４００とがボルト５０とナット６０とで結合されることによって、表板１００と裏板３００との間に保水基盤２００が挟まれて一体化されたサンドイッチ構造を構成している。
【００４２】
そして、図１と図２とに示すように、これらの周囲が枠体５００で囲まれ、植栽容器１２を構成している。なお、本実施形態では、後述する給水機構６００も植栽容器１２と一体化されている。よって、壁面緑化装置１０と植栽容器１２とは同じものを指すことになる。なお、以下では、壁面緑化装置１０と植栽容器１２とを適宜使い分けて記載している。
【００４３】
図１と図２に示すように、前述したように、壁面緑化装置１０の意匠面を構成する鉛直に配置される表板（表面化粧板）１００の表面１００Ａには、凹凸が形成されることによって複数の棚部１１０が設けられている（図３も参照）。なお、本実施形態では、表板１００の表面１００Ａは、岩肌風に凹凸（棚部１１０）が形成されると共に、岩肌風に着色されている。つまり、表板１００の表面１００Ａは岩肌風に意匠加工されている。そして、これらの棚部１１０に形成された開口部１１２（図３も参照）に植物２０が植栽され、図１に示すように、壁面緑化装置１０を部屋の壁９０に取り付けつけることによって、言い換えると、植栽容器１２を壁９０に取り付けることによって、絵画を飾るように部屋の壁９０を緑化する。
【００４４】
なお、壁面緑化装置１０（植栽容器１２）を壁９０に取り付ける方法は、どのような方法であってもよい。ピクチャーレール等にワイヤーで吊りさげてもよいし、壁９０にフックなどを固定し、このフックにかけるようにしてもよい。或いは、壁９０にボルトとナットで固定してよい。また、ボルトとナットで固定してもよい。また、表板１００と裏蓋４００とを結合するボルト５０とナット６０を利用して壁９０に固定してもよい。更にこの場合、裏蓋４００を設けずに壁９０に裏板３００が当る構成であってもよい（壁９０が裏蓋４００を兼ねる構造であってもよい）。
【００４５】
また、別途生産圃場で予め生産（育てられた）植物２０（の苗）を棚部１１０の開口部１１２に植栽する。また、各図及び本説明では、各植物には同一の符号２０を付しているが、各棚部１１０の開口部１１２に異なる種類の植物を植栽してもよい。
【００４６】
また、このように壁面緑化装置１０（植栽容器１２）を壁９０に取り付けた状態における鉛直方向上方側が各図の矢印Ｚ方向であり、水平方向正面側（表面１００Ａ側）が矢印Ｘ方向であり、水平方向左側が矢印Ｙ方向である。また、Ｘ方向が幅方向、Ｙ方向が長手方向とする。
【００４７】
図１と図３に示すように、表板１００の棚部１１０に開口部１１２が形成され、図１と図４とに示すように、開口部１１２から斜め下方に向かって貫通孔１１４が形成され、裏面１００Ｂに開口されている（図８も参照）。また、図４に示すように、表板１００の裏面１００Ｂには、格子状（上下左右）に溝１１８（表面１００Ａ側（Ｘ方向）に向けて凹となった凹溝）が形成されている。
【００４８】
図１に示すように、本実施形態では、表板１００の裏面１００Ｂの上端部には、裏側に向けて突出する断面Ｌ字状の上受部１０２が形成されている。また、表板１００の裏面１００Ｂの下端部には、裏側に向けて突出する断面Ｌ字状の下受部１０３が形成されている。
【００４９】
なお、本実施形態では、表板１００は、厚みが約５０ｍｍ〜１５０ｍｍ程度のボード（意匠加工される前のボード）に、前述した凹凸、棚部１１０、開口部１１２、貫通孔１１４を形成し、表面１００Ａを岩肌風に着色したものとされている。なお、凹凸、棚部１１０、開口部１１２、及び貫通孔１１４の形成方法は特に限定されない。例えば、型成形によって、凹凸、棚部１１０、開口部１１２、及び貫通孔１１４が形成された表板１００を成形してもよい。
【００５０】
表板１００（ボード）の素材としては、発泡ウレタンなどの軽量で断熱性と非透水性がある素材に繊維補強等で強化した材料とされている。また、表板１００の表面１００Ａの着色は耐候性塗料で行なわれている。なお、表板１００（ボード）の素材としては、断熱性があるものであれば特に限定されない。例えば、木材や石膏ボードなどであってもよい。また、非透水性である方が望ましい。しかし、表板１００の構成する素材自体が非透水性でなくても、表板１００に非透水性の塗装やコーティングをすることで、非透水性能を確保してもよい。
【００５１】
また、表板１００の意匠加工後の厚み（図１参照）は、強度と植物２０の生育性能が確保される範囲において薄い方が好ましい。
【００５２】
保水基盤（植栽基盤）２００は、植物２０が根を張ることが可能な保水性の高い素材、例えば、フェルト、不織布、ウレタンスポンジ、ヤシ繊維、導水シートなどで構成されている。なお、これらの素材に熱感応性ゲルや保水ゲルを混入し、保水性能を高くしてもよい。
【００５３】
裏板３００は、表板１００と同様に断熱性と非透水性がある素材、例えば、コンパネ、塩ビボード、スレート板、金属板、木材、発泡ウレタンなどで構成されている。なお、裏板３００の素材としては、断熱性があるものであれば特に限定されない。また、非透水性である方が望ましい。しかし、裏板３００を構成する素材自体が非透水性でなくても、非透水性の塗装やコーティングをすることで、非透水性能を確保してもよい。
【００５４】
また、裏蓋４００は、壁に固定可能な強度を有する素材、例えば、コンパネ、塩ビボード、スレート板、金属板、木材などで構成されている。
【００５５】
枠体５００は、壁に固定可能な強度を有する素材、鋼鉄、アルミ、樹脂などで構成されている。また、額縁のように枠体５００の表面（意匠面）に、飾りや着色などが施されていでもよい。
【００５６】
なお、本実施形態では、裏板３００と裏蓋４００とは別部材構成とされているが、裏板３００が裏蓋４００を兼ねる構成であってもよい。
【００５７】
つぎに、保水基盤（植栽基盤）２００に給水（潅水）する給水機構６００について、説明する。
【００５８】
図７に示すように、給水機構６００は、複数の滴下ニップル等のドリップ装置６２０が設けられた給水ホース６１０と、排水ケース６５０と、を有している。
【００５９】
給水ホース６１０は、図１に示すように、壁面緑化装置１０（植栽容器１２）の中の上部における保水基盤２００の上端２００Ｕの上方に、長手方向（Ｙ方向）に沿って配設されている（図１に示すように、給水ホース６１０は表板１００の上受部１０２の下側に配設されている）。図７に示すように、給水ホース６１０には長手方向に間隔をあけてドリップ装置６２０が複数設けられている。
【００６０】
図８に示すように、ドリップ装置６２０は、給水ホース６１０に水を流すと水滴Ｓが落ちる機構を有する。なお、ドリップ装置６２０は、従来と同様の構成（市販品）であるので、説明を省略する。
【００６１】
なお、本実施形態では、ドリップ装置６２０は、長手方向に沿って約１０ｃｍ〜１５ｃｍ間隔で設けられている。また、本実施形態では、水滴Ｓは約３リットル／時間の吐出量のものを用いている。
【００６２】
図１に示すように、排水ケース６５０は、壁面緑化装置１０（植栽容器１２）の中の下部における保水基盤２００の下に、長手方向に沿って配設されている（図１に示すように、排水ケース６５０は下受部１０３に設けられている）。そして、図１と図７とに示すように、保水基盤２００の下端部２２０が排水ケース６５０の中に入れられている。
【００６３】
なお、図２に示すように、壁面緑化装置１０（植栽容器１２）の側面における上部には、給水ホース６１０に給水するための給水口６３０が設けられている、また、壁面緑化装置１０（植栽容器１２）の側面における下部には、排水ケース６５０に溜まった水を排水するための排水口６６０が設けられている。
【００６４】
そして、給水口６３０から給水することで、各ドリップ装置６２０から水滴Ｓ（図８参照）が保水基盤２００に落ちて給水（潅水）する。給水された水は、保水基盤２００の毛管力によって保水基盤２００の全体に浸透する。給水（潅水）された水は保水基盤２００の全体に浸透したのち、余剰水となって排水ケース６５０に貯められる。排水ケース６５０に貯留された余剰水は排水口６６０から抜くことができる。
【００６５】
つぎに、本実施形態の作用について説明する。
【００６６】
図１に示すように、表板１００の棚部１１０の開口部１１２に植栽された植物２０は、地面に対して垂直な鉛直方向に（重力方向に沿って）生育するので、地面に対し略平行（重力方向と直交する方向）に生育（成長）させる場合と比較し、生育が向上ずる。
【００６７】
また、植栽された植物２０の根２２は表板１００の裏面１００Ｂの貫通孔１１４の開口から出て、保水基盤２００の全域に亘って根を張ることできる。更に、表板１００の裏面１００Ｂに形成された溝１１８（図４参照）に沿って、植物２０は根２２を張ることができる。よって、植物２０は、保水基盤２００の広範囲に容易に根２２を張ることができる。これにより、植物２０の生育が更に向上する。
【００６８】
また、断熱材で構成された表板１００と裏板３００とで保水基盤２００が挟まれており、しかも表板１００は棚部１１０の開口部１１２以外は開口されていないので、保水基盤２００の温度上昇又は温度低下が抑制される。また、保水基盤２００からの水分の蒸発が抑制される。更に表板１００及び裏板３００は、非透水性材で構成されているので、更に水分の蒸発が抑制される。
【００６９】
したがって、植物２０の根２２の温度が安定し、且つ乾燥が抑制されるので、植物２０の生育が良好となる。
【００７０】
また、給水機構６００は、保水基盤２００の上端２００Ｕから給水し、保水基盤２００の下端部２２０から排水して掛け流している。よって、下端部２２０から排水された余剰水をポンプなどに汲み上げて、保水基盤２００に再度給水する方式、つまり水を循環させる循環方式と比較し、根酸による保水基盤２００中の水の酸化が抑制される。よって、植物２０の生育が向上する。
【００７１】
ここで、本発明者が、本構成で水を長期に亘って循環させた場合、生育（成長）が劣るなどの生育不良が発生した。この原因を本発明者が調査及び分析すると、循環させている循環水（保水基盤２００中の水）のＰＨが低下し酸化していることが判った。よって、生育不良の原因は循環水の酸化によるものと考えられる。そして、この循環水の酸化は、水を循環させることによって、植物２０の根２２が分泌する根酸（有機酸）の循環水中の濃度が上がることによって引き起こされる現象と考える。なお、このような循環方式のデメリット（循環水の酸化による植物の生育不良）は、本発明者が初めて発見したことである。
【００７２】
また、本実施形態では、給水ホース６１０に設けられたドリップ装置６２０から水滴Ｓを落として、保水基盤２００に全体に給水する（潅水する）つまり、給水ホース６１０に水を流すことで、容易に保水基盤２００に給水することができる（掛け流すことができる）。
【００７３】
また、保水基盤２００の下端部２２０から排水された余剰水は排水ケース６５０で一旦端貯留し、貯留した水を排水するので、余剰水の処理が容易である。
【００７４】
また、表板１００、裏板３００、保水基盤２００、及び給水機構６００が一体化された植栽容器１２（壁面緑化装置１０）を部屋の壁９０に取り付けることで、絵画を壁９０に飾るように、容易に部屋の壁９０が緑化される。
【００７５】
つぎに、給水機構の変形例について、図９と図１０とを用いて説明する。図９は変形例の給水機構７００を斜め前方から見た斜視図であり、図１０は図９の変形例の給水機構７００を斜め後方から見た部分拡大斜視図である。
【００７６】
変形底の給水機構７００は、図９に示すように、給水ケース７１０と、排水ケース６５０と、を有している。
【００７７】
給水ケース７１０は、植栽容器１２の中の上部に、長手方向に沿って配設されている。そして、保水基盤２００の上端部２１０が曲げられ、給水ケース７１０に貯留されている水の中に浸されている。
【００７８】
そして、図１０に示すように、給水口６３０から給水し給ケース７１０に水を貯留することで、保水基盤２００の毛管力によって保水基盤２００の全体に浸透する。余剰水は、同様に排水ケース６５０に貯められ、貯められた余剰水は排水口６６０から抜くことができる。
【００７９】
なお、本変形例のように、保水基盤２００の上端部２１０の長手方向全域が、給水ケース７１０に貯留されている水に浸されているので、保水基盤２００の長手方向全域に、より均一に給水（浸透）させることができる。
【００８０】
ここで、植栽容器１２（壁面緑化装置１０）は、必ずしも、壁に取り付けて飾らなくてもよい。例えば、図１２に示すように、イーゼル８００に載せて飾ってもよい。なお、この場合の壁面の緑化とは、部屋の空間内の緑化したい任意の壁面を指すことになる。つまり、表板１００の表面１００Ａが緑化したい壁面である。なお、このような場合、表板１００は、鉛直に配置されていなくてもよい。略鉛直であってもよい（多少角度があってもよい）。
【００８１】
なお、略鉛直とは、本発明が適用された植栽容器（壁面緑化装置）を鉛直に配置した場合よりも生育（成長）が著しく劣るなどの生育不良が発生しない角度範囲であり、植物によっても異なるが、地面に対して、６０°〜９０°である。
【００８２】
また、本実施形態では、植栽容器１２を壁９０に取り付けたが、図１に示す二点破線（想像線）の壁９０が示すように、壁９０の中に壁面緑化装置１０（植栽容器１２）が埋め込まれた構成となっていてもよい。
【００８３】
具体的には、図１１に示すように、壁９０全面（又は略全面）が表板１００（の表面１００Ａ）で構成される。なお、図１１では、複数の表板１００（複数の壁面緑化装置１０）を並べて、壁９０を構成しているが、一枚の表板（一つの壁面緑化装置）で壁９０全面（また略全面）を構成してもよい。或いは、壁９０の一部のみが表板１００（の表面１００Ａ）で構成されていてもよい。
【００８４】
また、このような構成の場合、排水口６６０を建物の内の排水パイプ（排水官）に連結して余剰水を排水するようにしてもよい。
【００８５】
更に、植栽容器１２を部屋の壁９０でなく、建物外壁に取り付けてもよい。或いは、外壁の一部又は全部を表板１００が構成してもよい。言い換えると、建物外壁の中に壁面緑化装置１０（植栽容器１２）が埋め込まれた構成となっていてもよい（図１、図１１の壁９０が外壁となった構造であってもよい）。なお、建物内壁と建物外壁の両方を緑化してもよい。
【００８６】
また、建物外壁に本発明を適用する場合、排水ケース６５０を設けずに、余剰水を土壌や下水溝に直接排水するようにしてもよい。また、雨水を利用して給水するようにしてもよい。
【００８７】
また、建物外壁や建物内壁（壁９０）に本発明を適用した場合、壁面緑化装置１０の断熱材で構成された表板１００及び裏板３００と水を含んだ保水基盤２００とによって、気温緩和効果（夏期には建物（構造物）の温度上昇抑制、冬期には建物（構造物）の断熱効果）や防音効果が得られる。
【００８８】
特に、建物外壁の緑化は、外張り断熱効果、耐暴風効果、防火的効用や火災延焼防止効果（植物２０及び給水された保水基盤２００による効果）等が得られる。また、植物による景観の向上や温暖化防止効果（ＣＯ２吸収効果）も得られる。
【００８９】
尚、本発明は上記実施形態に限定されない。本発明の要旨を逸脱しない範囲において種々なる態様で実施し得ることは言うまでもない。
【００９０】
例えば、上記実施形態では、保水基盤２００への給水は、掛け流し方式であったが、これに限定されない。排水ケース６５０の余剰水をポンプなどで汲み上げ保水基盤２００に給水する循環方式であってもよい。但し、長期間に亘って循環させると、前述したように根酸の濃度が上がり植物２０の生育に影響が出るので、影響が出る前に循環させている水を交換するようにすればよい。言い換えると、植物の生育に影響が出ない期間内で、水を循環させるようにすればよい。
【００９１】
また、例えば、上記実施形態では、建物外壁、建物内壁、部屋の中の緑化が対象であってあったがこれに限定されない。例えば、部屋の中のパーテンションや屋外の柵や塀などを緑化対象としてもよい。
【符号の説明】
【００９２】
１０      壁面緑化装置
１２      植栽容器
２０      植物
２２      根
１００      表板
１１０      棚部
１１２      開口部
１１４      貫通孔
１１８      溝
２００      保水基盤
３００      裏板
６００      給水機構
６１０      ホース
６２０      ドリップ装置（水滴機構）
６５０      排水ケース
７００      給水機構
７１０      給水ケース
【図１】
2010239878.tif 000003
【図２】
2010239878.tif 000004
【図３】
2010239878.tif 000005
【図４】
2010239878.tif 000006
【図５】
2010239878.tif 000007
【図６】
2010239878.tif 000008
【図７】
2010239878.tif 000009
【図８】
2010239878.tif 000010
【図９】
2010239878.tif 000011
【図１０】
2010239878.tif 000012
【図１１】
2010239878.tif 000013
【図１２】
2010239878.tif 000014